(57)【要約】【課題】接続線用の壁穴を設ける必要がなく、比較的簡易な構成により騒音の発生を抑制する浴室乾燥暖房機及びその取り付け方法を提供する。【解決手段】浴室乾燥暖房機１が、外壁１３に穿設された壁穴１４に内挿されるダクト部１０と、前記浴室外３３から前記ダクト部１０を通じて接続線が接続される補機を有する本体ユニット２と、前記浴室内３２の空気を前記ダクト部１０を通じて前記浴室外３３に排出可能な換気ファン２２を有する換気ユニット２０とを備え、前記ダクト部１０が、内部に前記換気ファン２２により排出される前記空気が流通する内側空間１８を形成する内側ダクト１１と、前記内側ダクト１１を外囲し当該内側ダクト１１との間に前記接続線が配設される外側空間１９を形成する外側ダクト１２とで構成されている。【選択図】図１
2008064351.tif 000002
【特許請求の範囲】
【請求項１】
浴室の外壁に穿設された壁穴に内挿されるダクト部と、
前記ダクト部の前記浴室内側の壁面に設置され、前記浴室外から前記ダクト部を通じて接続線が接続される補機を有する本体ユニットと、
前記ダクト部の前記浴室外側の壁面に設置され、前記浴室内の空気を前記ダクト部を通じて前記浴室外に排出可能な換気ファンを有する換気ユニットとを備えた浴室乾燥暖房機であって、
前記ダクト部が、内部に前記換気ファンにより排出される前記空気が流通する内側空間を形成する内側ダクトと、前記内側ダクトを外囲し当該内側ダクトとの間に前記接続線が配設される外側空間を形成する外側ダクトとで構成されている浴室乾燥暖房機。
【請求項２】
前記本体ユニットが、前記補機として、前記浴室内の空気を循環可能な循環ファンと、
当該循環する空気を加熱可能な加熱手段とを有する請求項１に記載の浴室乾燥暖房機。
【請求項３】
前記外側空間の前記浴室内側の端部に当該端部を覆う環状のダクトカバーを備え、
前記ダクトカバーが、前記浴室内側に膨出形成されている請求項１又は２に記載の浴室乾燥暖房機。
【請求項４】
前記内側ダクトが、前記換気ユニットの吸入口に固設されている請求項１〜３の何れか一項に記載の浴室乾燥暖房機。
【請求項５】
請求項１〜４の何れか一項に記載の浴室乾燥暖房機の取り付け方法であって、
前記外側ダクトを、浴室の外壁に穿設された壁穴に内挿した後に、
前記内側ダクトを、前記換気ユニットの吸入口に固設して前記外側ダクトに内挿する工程と、前記内側ダクトと前記外側ダクトとの間の前記外側空間に前記接続線を配設する工程とを順不同で実施し、
前記換気ユニットを前記浴室外側の壁面に設置して、
前記内側ダクトの長さを前記浴室内側の端部が前記浴室内の壁面に合うように調整して、前記外側空間の前記浴室内側の端部を環状のダクトカバーで覆い、
前記本体ユニットを前記浴室内側の壁面に設置する浴室乾燥暖房機の取り付け方法。
【発明の詳細な説明】
【技術分野】
【０００１】
本発明は、浴室の外壁に穿設された壁穴に内挿されるダクト部と、
前記ダクト部の前記浴室内側の壁面に設置され、前記浴室外から前記ダクト部を通じて接続線が接続される補機を有する本体ユニットと、
前記ダクト部の前記浴室外側の壁面に設置され、前記浴室内の空気を前記ダクト部を通じて前記浴室外に排出可能な換気ファンを有する換気ユニットとを備えた浴室乾燥暖房機及びその取り付け方法に関する。
【背景技術】
【０００２】
当該浴室乾燥暖房機は、換気ユニット内の換気ファンを作動させて、浴室内の空気をダクト部を通じて吸引し浴室外に排出する換気運転、本体ユニット内において循環ファンを作動させて浴室内の空気を循環させながら放熱器により加熱する暖房運転、及び上記換気運転と上記暖房運転とを組み合わせた乾燥運転を択一的に実行するように構成されている。
上記のような、従来の浴室乾燥暖房機として、換気ファンにより排出される空気が流通する一重のダクトを上記ダクト部として備えたものが知られている（特許文献１を参照）。
【０００３】
上記換気運転及び乾燥運転では、浴室内の空気が上記ダクト内を流通して、浴室外に排出されることとなる。
一方で、ダクト部が、浴室内の空気を浴室外に排出するための排出路と浴室外の空気を浴室内に吸入するための吸入路とを備えている浴室乾燥暖房機が知られている（特許文献２を参照）。
【０００４】
【特許文献１】特開２００４−３２５０３８  号公報（第２図）
【特許文献２】特開２００４−１４４３２２  号公報（第１図）
【発明の開示】
【発明が解決しようとする課題】
【０００５】
上述した特許文献１又は２は、空気が流通するダクト内又は排出路若しくは吸入路に、本体ユニットに備えられた換気ファンに接続するケーブルや放熱器に接続する配管といった接続線が配設される場合がある。
しかし、上記接続線を空気が流通するダクト内又は排出路及び吸入路内に配設すると、ダクト内での空気の流れが上記接続線により乱れることで、騒音が発生する。
また、上記接続線をダクト内を通さずに別の壁穴を通して配設することもできるが、その場合は外壁に別の壁穴を設けることで、浴室の外壁の強度や美観の低下が発生し、また、浴室乾燥暖房機の構成及び取り付けが複雑となる虞がある。
本発明は、上記の課題に鑑みてなされたものであり、その目的は、接続線用の壁穴を設ける必要がなく、比較的簡易な構成により騒音の発生を抑制する浴室乾燥暖房機及びその取り付け方法を提供する点にある。
【課題を解決するための手段】
【０００６】
上記目的を達成するための本発明に係る浴室乾燥暖房機は、浴室の外壁に穿設された壁穴に内挿されるダクト部と、
前記ダクト部の前記浴室内側の壁面に設置され、前記浴室外から前記ダクト部を通じて接続線が接続される補機を有する本体ユニットと、
前記ダクト部の前記浴室外側の壁面に設置され、前記浴室内の空気を前記ダクト部を通じて前記浴室外に排出可能な換気ファンを有する換気ユニットとを備えた浴室乾燥暖房機であって、その第１特徴構成は、
前記ダクト部が、内部に前記換気ファンにより排出される前記空気が流通する内側空間を形成する内側ダクトと、前記内側ダクトを外囲し当該内側ダクトとの間に前記接続線が配設される外側空間を形成する外側ダクトとで構成されている点にある。
【０００７】
上記第１特徴構成によれば、接続線をダクト部の外側空間に配設し、空気をその外側空間の内側に形成された内側空間に流通させるというような比較的簡単な構成により、上記空気が流通する内側空間には接続線が配設されないため、接続線による当該空気の流れの乱れが防止され、騒音の発生が抑制されることとなる。
一方、接続線を外側空間に配設するので、外壁に接続線を配設するための壁穴を別途設ける必要がない。
また、内側ダクトの設置位置は外側ダクト内において任意に調整することができ、外側空間は比較的自由度のある形状とすることができる。よって、外側空間の形状を、接続線の配設状態に合わせた形状に適宜調整することができるため、例えば剛性の高い配管としての接続線をその外側空間に容易に配設することができる。
【０００８】
本発明に係る浴室乾燥暖房機の第２特徴構成は、上記第１特徴構成に加えて、前記本体ユニットが、前記補機として、前記浴室内の空気を循環可能な循環ファンと、
当該循環する空気を加熱可能な加熱手段とを有する点にある。
【０００９】
上記第２特徴構成によれば、上記本体ユニットには循環ファンや加熱手段を含む複数の機器が設けられており、その循環ファンや加熱手段に接続される接続線を、ダクト部の外側空間に配設できる。
【００１０】
本発明に係る浴室乾燥暖房機の第３特徴構成は、上記第１乃至上記第２の何れかの特徴構成に加えて、前記外側空間の前記浴室内側の端部に当該端部を覆う環状のダクトカバーを備え、
前記ダクトカバーが、前記浴室内側に膨出形成されている点にある。
【００１１】
上記第３特徴構成によれば、環状のダクトカバーが上記外側空間の浴室内側の端部を覆うように備えられているため、空気が外側空間に流入し騒音が発生することを防止できる。
また、外側空間の浴室内側の端部が浴室内側に膨出した滑らかな形状となり、空気がその膨出部に沿って内側空間に流入するため、空気の流れを乱さずに騒音の発生をより一層抑制することができる。
【００１２】
本発明に係る浴室乾燥暖房機の第４特徴構成は、上記第１乃至上記第３の何れかの特徴構成に加えて、前記内側ダクトが、前記換気ユニットの吸気口に固設されている点にある。
【００１３】
上記第４特徴構成によれば、ダクト部の内側ダクトが換気ユニットに固設される構成となるため、内側ダクトを換気ユニットに対して常に適切な位置に配置することができる。
【００１４】
本発明に係る浴室乾燥暖房機の取り付け方法に関する第５特徴構成は、上記第１乃至上記第４の何れかの特徴構成を有する浴室乾燥暖房機を取付ける方法であって、前記外側ダクトを、浴室の外壁に穿設された壁穴に内挿した後に、
前記内側ダクトを、前記換気ユニットの吸入口に固設して前記外側ダクトに内挿する工程と、前記内側ダクトと前記外側ダクトとの間の前記外側空間に前記接続線を配設する工程とを順不同で実施し、
前記換気ユニットを前記浴室外側の壁面に設置して、
前記内側ダクトの長さを前記浴室内側の端部が前記浴室内の壁面に合うように調整して、前記外側空間の前記浴室内側の端部を環状のダクトカバーで覆い、
前記本体ユニットを前記浴室内側の壁面に設置する点にある。
【００１５】
ここで、順不同とは、内側ダクトの内挿工程と、接続線の配線工程との、どちらが先となる順番で行ってもよいという意味である。
【００１６】
上記第５特徴構成によれば、浴室乾燥暖房機を比較的簡単に浴室に取付けて、当該取付けた浴室乾燥暖房機にこれまで説明してきたものと同様の作用効果を発揮させることができる。
また、外側ダクトを浴室の外壁に穿設された壁穴に内挿し、内側ダクトを換気ユニットの吸入口に固設した状態で外側ダクトに内挿して、上記換気ユニットを前記浴室外側の壁面に設置した後に、内側ダクトの浴室内側の端部が浴室内の壁面に合うように調整する。この結果、内側ダクトの長さは浴室ごとに異なる壁厚に合わせて自由に調節することができるため、壁厚に制限されることなく浴室乾燥暖房機を設置することができる。
【発明を実施するための最良の形態】
【００１７】
本発明の実施形態について、図１に基づいて説明する。
本発明の浴室乾燥暖房機１は、外壁１３に穿設された壁穴１４に内挿され、浴室内３２の空気が流通すると共に本体ユニット２に接続する接続線１６、１７が配設されるダクト部１０と、ダクト部１０の浴室内３２側の壁面に設置され、上記接続線１６、１７がダクト部１０を通じて接続される補機としての放熱器４及び循環ファン５を備える本体ユニット２と、ダクト部１０の浴室外３３側の壁面に設置され、浴室内３２の空気を上記ダクト部１０を通じて浴室外３３に排出可能な換気ファン２２を有する換気ユニット２０とを備える。
【００１８】
本体ユニット２は、本体ケーシング８に収納され、その内部に浴室内３２の空気を循環する循環ファン５と、当該空気を加熱する放熱器４とを補機として備えている。上記循環ファン５には、当該循環ファン５の電源線や制御線等のケーブル１７が接続されている。さらに、上記放熱器４に対して浴室外３３に設置された給湯機（図示せず）で加熱される湯水を循環させるための配管１６が接続される。従って、放熱器４が、本願の加熱手段をなす。そして、それら配管１６及びケーブル１７が、接続線としてダクト部１０の外側空間１９に配設される。尚、配管１６のうち、戻り管は省略しているが往き管と同様に設置されている。
また、本体ユニット２は、空気を吸入する吸入口３と、空気を浴室内３２へ吹出す吹出口６と、空気を浴室内３２に偏りなく送り出すための揺動可能なスイング板７とを備えている。当該本体ユニット２は、後述する暖房運転及び乾燥運転の実行時に作動する。
【００１９】
換気ユニット２０は、換気ユニットケーシング２３内に収められて浴室外３３側の壁面に設置され、浴室内３２の空気を吸入口２１を介して吸引して排出口（図示せず）から排出可能な換気ファン２２を備える。当該換気ユニット２０は、後述する換気運転及び乾燥運転の実行時に作動する。
【００２０】
ダクト部１０は、内部に内側空間１８を形成する円筒状の内側ダクト１１と、内側ダクト１１を外囲し当該内側ダクト１１との間に外側空間１９を形成する、円筒状の外側ダクト１２を備える。そして、このダクト部１０は、内側空間１８に換気ファン２２により浴室内３２から浴室外３３に排出される空気が流通し、外側空間１９に浴室外３３から浴室内３２の本体ユニット２の放熱器４に接続される配管１６と循環ファン５に接続されるケーブル１７とが配設されるように構成されている。即ち、内側空間１８においては、配管１６及びケーブル１７が配設されていないので、当該内側空間１８を流通する空気は乱れることなく、当該乱れによる騒音が抑制されている。
【００２１】
内側ダクト１１の設置位置は、外側ダクト１２の内部において、任意に調整することができる。即ち、外側空間１９の形状は、配管１６及びケーブル１７の配設状態に合わせた形状に適宜調整されている。
【００２２】
内側ダクト１１は、上記換気ユニット２０の適切な位置に固設されるため、内側ダクト１１と換気ユニット２０の位置関係は常に適切に保たれることとなる。
【００２３】
また、内側ダクト１１の浴室外３３側の端部は徐々に幅広となる形状を有し、当該端部における空気の流れの乱れを防止する。
【００２４】
さらに、浴室内３２側に膨出した環状のダクトカバー４０が、外側空間１９の浴室内３２側の端部３１に備えられている。尚、ダクトカバー４０には、配管１６及びケーブル１７を挿通するための孔が適宜設けられている。浴室内３２の空気は、ダクトカバー４０の上記形状に沿って内側空間１８へ流入するため、空気の流れが乱れることを防止し、騒音の発生を抑制することができる。
【００２５】
次に、換気運転、暖房運転及び乾燥運転とを説明し、各運転時の空気の流れについて説明する。当該浴室乾燥暖房機１は、換気ユニット２０内の換気ファン２２を作動させて、浴室内３２の空気をダクト部１０を通じて吸引し浴室外３３に排出する換気運転、本体ユニット２内において循環ファン５を作動させて浴室内３２の空気を循環させながら当該空気を放熱器４により加熱する暖房運転、及び上記換気運転と上記暖房運転とを組み合わせた乾燥運転を択一的に実行する。
【００２６】
当該換気運転及び乾燥運転時において、空気は、白抜き矢印で示すように、外壁１３の浴室内３２側の壁面と本体ユニット２との間の隙間３０を通り、内側ダクト１１内の内側空間１８を流通し、換気ファン２０の吸入口２１を介して換気ユニット２０内に流入し、浴室外３３へ排出される。また、暖房運転において、空気は、黒矢印で示すように吸入口３から本体ユニット２内に取り込まれ、放熱器４を介して、吹出口６から浴室内３２へ送り出される。
【００２７】
次に、図２（ａ）から図２（ｃ）に基づいて本発明の浴室乾燥暖房機１の取り付け方法について述べる。
まず、図２（ａ）に示すように、内側ダクト１１を換気ユニット２０の吸入口２１に固設する。
【００２８】
次に、図２（ｂ）に示すように、外側ダクト１２を外壁１３に穿設された壁穴１４に内挿し、外側ダクト１２の長さを外壁１３の厚さに合わせて切断する。
【００２９】
そして、当該外側ダクト１２に配管１６及びケーブル１７を内挿する工程と、上記内側ダクト１１を外側ダクトに内挿する工程とを順不同で実施する。主には、外側ダクト１２に配管１６及びケーブル１７を内挿する工程を先に実施することとなる。
【００３０】
次に、図２（ｃ）に示すように、換気ユニット２０を外側空間１９が配管１６及びケーブル１７の配置状態に合わせた形状となるように適宜調整して浴室外３３側の壁面に設置する。
次に、内側ダクト１１の浴室内３２側を適当に切断して、内側ダクト１１の浴室内３２側の端部が浴室内３２側の壁面に合うように調節する。
次に、内側ダクト１１と外側ダクト１２の間に形成された外側空間１９の浴室内３２側の端部３１に浴室内３２側に膨出した環状のダクトカバー４０を設置する。
【００３１】
〔別実施形態〕
内側ダクト１１及び外側ダクト１２は、多角柱形状としてもよく、途中で屈曲していてもよい。
【００３２】
ダクト部１０とダクトカバー４０は、一体型として備えてもよく、ダクトカバー４０の形状は、適宜改変してもよい。
【００３３】
外側ダクト１２は壁穴１４に対して遊着されていてもよいし、コーキング材により密着されていてもよい。
【００３４】
内側ダクト１１の浴室外３３側の端部は、徐々に幅広となる形状でなくともよい。
【００３５】
加熱手段は、放熱器４に替えて電気ヒーターなどの電気式加熱器としてもよい。当該電気ヒーターを加熱手段として用いる場合は、当該電気ヒーターに対して浴室外３３に設置された電源（図示せず）から電気を供給するための電線（図示せず）が接続される。
【実施例】
【００３６】
本発明に係る浴室乾燥暖房機による騒音発生の抑制効果を確かめるため、下記の４つの試験条件において、円形断面の空間に空気を流通し騒音を測定する試験を行った。
１．試験条件
（１）直径が１００ｍｍの円形断面の空間に配管を配設した場合。
（２）直径が１００ｍｍの円形断面の空間のみの場合。
（３）直径が８０ｍｍの円形断面の空間が、曲率半径２０ｍｍで徐々に幅広となる形状の入口を有する場合。
（４）直径が８０ｍｍの円形断面の空間が、曲率半径２０ｍｍで徐々に幅広となる形状の入口及び出口を有する場合。
【００３７】
２．試験結果および考察
上記各条件（１）から条件（４）で、各々の空間に空気を流通させて複数の流量において騒音を測定した結果のグラフを図３に示す。縦軸を騒音レベル（ｄＢＡ）、横軸を相対流量（％）とした。流量１００％は、換気ファンを定格電圧１００Ｖで運転した場合の流量とした。
【００３８】
〔条件（１）と条件（２）との比較〕
図３のグラフにおいて、直径が１００ｍｍの円形断面の空間に配管を配設した条件（１）と直径が１００ｍｍの円形断面の空間のみの条件（２）との各々の騒音の大きさを比較すると、条件（２）の騒音レベルが条件（１）に対して約１ｄＢ騒音レベルが低いことがわかる。即ち、条件（２）では、空気が流通する円形断面の空間に配管を配設しないことにより、騒音の発生を抑制できることがわかる。
【００３９】
〔条件（２）と条件（３）との比較〕
図３のグラフにおいて、直径が１００ｍｍの円形断面の空間のみの条件（２）と直径が８０ｍｍの円形断面の空間が、曲率半径２０ｍｍで徐々に幅広となる形状の入口を有する条件（３）との各々の騒音の大きさを比較すると、条件（３）の騒音レベルが条件（２）に対して約１ｄＢ低いことがわかる。通常、同じ流量の空気を直径の異なる円形断面の空間に流通した場合、直径の大きい円形断面の空間よりも直径の小さい円形断面の空間を通る空気の流速のほうが速くなるため、直径の大きい円形断面の空間に比して直径の小さい円形断面の空間における騒音レベルが高くなると推測されるが、条件（３）では、曲率半径２０ｍｍの徐々に幅広となる形状の入口を備えており、空気が当該形状の入口に沿って流通することで、入口付近にける空気の流れの乱れが防止されるために、条件（２）に対して騒音レベルが低減できていることがわかる。
【００４０】
〔条件（３）と条件（４）との比較〕
図３のグラフにおいて、直径が８０ｍｍの円形断面の空間が、曲率半径２０ｍｍで徐々に幅広となる形状の入口を有する条件（３）と直径が８０ｍｍの円形断面の空間が、曲率半径２０ｍｍで徐々に幅広となる形状の入口及び出口を有する条件（４）との各々の騒音の大きさを比較すると、条件（４）の騒音レベルが条件（２）に対して約１ｄＢ低下していることがわかる。このことから、条件（４）では円形断面の空間が、曲率半径２０ｍｍの徐々に幅広となる形状の出口を備えることで、騒音の発生を抑制できることがわかる。
【００４１】
３．総括
以上の試験結果から、空気が流通する円形断面の空間に配管を配設しないことで、騒音の発生を抑制する効果が得られることがわかる。また、円形断面の空間が、曲率半径２０ｍｍで徐々に幅広となる形状の入口を備えることにより、空気が当該形状の入口に沿って流れることとなり、当該入口における空気の流れの乱れが防止され、騒音の発生を抑制することができる。また、円形断面の空間が上記入口に加え、曲率２０ｍｍで徐々に幅広となる形状の出口を備えることにより、騒音の発生をより一層抑制することができる。
本発明の実施形態に示したようにダクト部を二重管とすると、空気が流通する円筒形状の内側空間は、空気が流通する円筒断面の空間に配管やケーブルを配設せず、当該円筒断面の空間の入口及び出口を徐々に幅広で滑らかな形状とすることで、空気の流れの乱れを防止して騒音の発生を抑制することができると言える。
【産業上の利用可能性】
【００４２】
本発明の浴室乾燥暖房機は、接続線用の壁穴を設ける必要がなく、比較的簡易な構成により騒音の発生を抑制する浴室乾燥暖房機及びその取り付け方法として有効に利用可能である。
【図面の簡単な説明】
【００４３】
【図１】本発明の浴室乾燥暖房機の概略構成図
【図２】本発明の浴室乾燥暖房機の取り付け方法を示す図
【図３】実施例の各試験条件における騒音レベルの測定結果を示すグラフ図
【符号の説明】
【００４４】
１：浴室乾燥暖房機
２：本体ユニット
４：放熱器（加熱手段）
５：循環ファン
１０：ダクト部
１１：内側ダクト
１２：外側ダクト
１３：外壁
１４：壁穴
１６：配管
１７：ケーブル
１８：内側空間
１９：外側空間
２０：換気ユニット
２１：吸入口
２２：換気ファン
３２：浴室内
３３：浴室外
４０：ダクトカバー
【図１】
2008064351.tif 000003
【図２】
2008064351.tif 000004
【図３】
2008064351.tif 000005